(57)【要約】  【課題】常時の稼働において送り管路を格別大径に設定しておかなくても、所要時に戻り管路も送り管路として機能させることで、散布ノズルからの単位時間当たりのアスファルト乳剤散布量を所望の散布量に確実に増加させる道路舗装機械の乳剤回路を提供することを目的とする。  【解決手段】本発明は上記目的を達成するために、所要時に、戻り管路６ａ，６ｂの他端側を切換手段９により乳剤ポンプ３の吐出側に切換え接続して該戻り管路６ａ，６ｂ及び送り管路４ａ，４ｂの両管路によりスプレーバー５Ａ，５Ｂにそれぞれアスファルト乳剤を供給するように構成した道路舗装機械の乳剤回路を提供するものである。【選択図】図１
2010138560.tif 000002
【特許請求の範囲】
【請求項１】
複数の散布ノズルが適宜の間隔をおいて取り付けられたスプレーバーの一端に乳剤ポンプから吐出されたアスファルト乳剤を供給するための送り管路が接続され、前記スプレーバーの他端には戻り管路が接続されて乳剤タンクに戻るようにされた道路舗装機械の乳剤回路において、
所要時に、前記戻り管路の他端側を前記乳剤ポンプの吐出側に切換手段を介して切換え接続し、該戻り管路及び前記送り管路の両管路により前記スプレーバーにアスファルト乳剤を供給するように構成したことを特徴とする道路舗装機械の乳剤回路。
【請求項２】
上記切換手段は、三方弁であることを特徴とする請求項１記載の道路舗装機械の乳剤回路。
【請求項３】
上記切換手段は、第１の開閉弁と第２の開閉弁とを組合わせた構成からなり、所要時に、該第１の開閉弁を閉じて第２の開閉弁を開くことにより、上記戻り管路の他端側を上記乳剤ポンプの吐出側に切換え接続するようにしたことを特徴とする請求項１記載の道路舗装機械の乳剤回路。
【請求項４】
上記スプレーバーは、左右一対のスプレーバーであり、所要時に、該左右一対のスプレーバーにおける各戻り管路の他端側を共通の上記切換手段により上記乳剤ポンプの吐出側に切換え接続し、左スプレーバーには該左スプレーバーにおける戻り管路及び送り管路によりアスファルト乳剤を供給し、右スプレーバーには該右スプレーバーにおける戻り管路及び送り管路によりアスファルト乳剤を供給するように構成したことを特徴とする請求項１，２又は３記載の道路舗装機械の乳剤回路。
【発明の詳細な説明】
【技術分野】
【０００１】
本発明は、道路舗装機械の乳剤回路に関するものであり、特に、所要時に戻り管路も送り管路として機能させることで、散布ノズルからの単位時間当たりのアスファルト乳剤散布量を所望の散布量に確実に増加させることが可能な道路舗装機械の乳剤回路に関するものである。
【背景技術】
【０００２】
従来の道路舗装機械の乳剤回路としては、例えば、図３に示すようなものがある。同図において、アスファルト乳剤が収容された乳剤タンク１が乳剤管路２を介して乳剤ポンプ３に接続され、該乳剤ポンプ３が各別の送り管路４ａ，４ｂを介して左右のスプレーバー５Ａ，５Ｂの各一端に接続されている。そして、該左右のスプレーバー５Ａ，５Ｂの各他端に接続された戻り管路６ａ，６ｂが共通の開閉弁７を介して前記乳剤タンク１に連絡されている。
【０００３】
前記左右のスプレーバー５Ａ，５Ｂには、それぞれ、その長手方向に複数個の散布ノズル８，…が所定間隔を開けて取付けられている。該左右のスプレーバー５Ａ，５Ｂは通常、舗装機械の進行方向に位置をずらして設けられ且つ、該左右のスプレーバー５Ａ，５Ｂは、舗装機械の幅方向に相対的に移動可能とされて、伸縮自在のスプレーバーとして機能する。
【０００４】
前記各散布ノズル８，８，８…からのアスファルト乳剤の散布量は、前記乳剤ポンプ３の回転数を変えることにより行われる。また、各散布ノズル８，８，８…からアスファルト乳剤が散布される際は、開閉弁７が閉じられて乳剤タンク１へのアスファルト乳剤の戻りがせき止められる。
【０００５】
また、従来、次のような乳剤散布装置付きアスファルトフィニッシャにおける乳剤散布装置が知られている。この従来技術は、乳剤タンクと、該乳剤タンク内のアスファルト乳剤を乳剤配管を介して吸引する乳剤ポンプと、該乳剤ポンプから１本の乳剤配管を介して供給されるアスファルト乳剤を下層路面に散布する乳剤散布機構とが備えられている。該乳剤散布機構は、車両の幅方向に沿って延長された四角筒状のスプレーバーと、該スプレーバーの長手方向に所定間隔をあけてスプレーバーの下部に取り付けた複数個の散布ノズルと、スプレーバーから散布ノズルにアスファルト乳剤を供給する流路を開閉する乳剤バルブとを備えている（例えば、特許文献１参照）。
【特許文献１】特許第３７９７９５８号公報（第３頁、図３）。
【発明の開示】
【発明が解決しようとする課題】
【０００６】
図３に記載された従来の道路舗装機械の乳剤回路においては、常時の稼働時には、開閉弁が閉じられて戻り管路から乳剤タンクへのアスファルト乳剤の戻りがせき止められた状態で、乳剤ポンプから各送り管路を介して左右のスプレーバーに供給されたアスファルト乳剤により、各散布ノズルから、アスファルト乳剤が単位時間当たり通常の散布量で散布される。
【０００７】
ところで、所要時には、乳剤ポンプの回転数を変えることにより、複数の散布ノズルからの単位時間当たりのアスファルト乳剤散布量が所望の散布量に増加するように調整される。このとき、左右のスプレーバーには、それぞれ１本の送り管路を介してアスファルト乳剤を供給するように構成されていたため、増加した単位時間当たりの散布量値によっては、管抵抗による圧損が増大して乳剤ポンプからのアスファルト乳剤が送り管路内をスムーズに流れず、複数の散布ノズルからの単位時間当たりのアスファルト乳剤散布量を所望の散布量に増加させることが困難になる場合がある。これに対しては、送り管路に、常時の稼働時には十分に余裕のある大径のものを使用することが考えられるが、常時の稼働時間の方が多いことを考慮すると不経済である。
【０００８】
この問題は、特許文献１に記載の従来技術においても上記と同様に生じる。
【０００９】
そこで、常時の稼働において送り管路を格別大径に設定しておかなくても、所要時に戻り管路も送り管路として機能させることで、散布ノズルからの単位時間当たりのアスファルト乳剤散布量を所望の散布量に確実に増加させるために解決すべき技術的課題が生じてくるのであり、本発明はこの課題を解決することを目的とする。
【課題を解決するための手段】
【００１０】
本発明は上記目的を達成するために提案されたものであり、請求項１記載の発明は、複数の散布ノズルが適宜の間隔をおいて取り付けられたスプレーバーの一端に乳剤ポンプから吐出されたアスファルト乳剤を供給するための送り管路が接続され、前記スプレーバーの他端には戻り管路が接続されて乳剤タンクに戻るようにされた道路舗装機械の乳剤回路において、所要時に、前記戻り管路の他端側を前記乳剤ポンプの吐出側に切換手段を介して切換え接続し、該戻り管路及び前記送り管路の両管路により前記スプレーバーにアスファルト乳剤を供給するように構成した道路舗装機械の乳剤回路を提供する。
【００１１】
この構成によれば、所要時に、乳剤ポンプの回転数を変えることにより、複数の散布ノズルからの単位時間当たりのアスファルト乳剤散布量が所望の散布量に増加するように調整される。このとき、スプレーバーに対し戻り管路及び送り管路の両管路からアスファルト乳剤を供給するように切換えられることで、管抵抗が減じて圧損が低減し、前記乳剤ポンプからのアスファルト乳剤が両管路内をスムーズに流れて複数の散布ノズルからの単位時間当たりのアスファルト乳剤散布量が所望の散布量に確実に増加する。
【００１２】
請求項２記載の発明は、請求項１記載の発明において、上記切換手段は、三方弁である道路舗装機械の乳剤回路を提供する。
【００１３】
この構成によれば、所要時に、三方弁により戻り管路の他端側が乳剤ポンプの吐出側に容易且つ確実に切換え接続されてスプレーバーに対し戻り管路及び送り管路の両管路からアスファルト乳剤が供給される。
【００１４】
請求項３記載の発明は、請求項１記載の発明において、上記切換手段は、第１の開閉弁と第２の開閉弁とを組合わせた構成からなり、所要時に、該第１の開閉弁を閉じて第２の開閉弁を開くことにより、上記戻り管路の他端側を上記乳剤ポンプの吐出側に切換え接続するようにした道路舗装機械の乳剤回路を提供する。  この構成によれば、切換手段を第１の開閉弁と第２の開閉弁で構成し、所要時に、第１の開閉弁を閉じて第２の開閉弁を開くことで戻り管路の他端側が乳剤ポンプの吐出側に切換え接続されてスプレーバーに対し戻り管路及び送り管路の両管路からアスファルト乳剤が供給される。
【００１５】
請求項４記載の発明は、請求項１，２又は３記載の発明において、上記スプレーバーは、左右一対のスプレーバーであり、所要時に、該左右一対のスプレーバーにおける各戻り管路の他端側を共通の上記切換手段により上記乳剤ポンプの吐出側に切換え接続し、左スプレーバーには該左スプレーバーにおける戻り管路及び送り管路によりアスファルト乳剤を供給し、右スプレーバーには該右スプレーバーにおける戻り管路及び送り管路によりアスファルト乳剤を供給するように構成した道路舗装機械の乳剤回路を提供する。
【００１６】
この構成によれば、道路舗装機械には、通常、左右一対のスプレーバーが該道路舗装機械の進行方向に位置をずらして設けられ且つ、該左右のスプレーバーは道路舗装機械の幅方向に相対的に移動可能とされて、伸縮自在のスプレーバーとして構成されている。所要時に、このような左右一対のスプレーバーにおける各戻り管路の他端側が、乳剤ポンプの吐出側に切換え接続されて、左右の両スプレーバーには、それぞれの戻り管路及び送り管路の両管路によりアスファルト乳剤が供給される。この結果、請求項１記載の発明の作用と同様に、両スプレーバーにおける複数の散布ノズルからの単位時間当たりのアスファルト乳剤散布量が所望の散布量に確実に増加する。
【発明の効果】
【００１７】
請求項１記載の発明は、所要時に、スプレーバーに対し戻り管路及び送り管路の両管路からアスファルト乳剤を供給するように切換えることで、管抵抗が減じて圧損が低減し、乳剤ポンプからのアスファルト乳剤が両管路内をスムーズに流れる。この結果、常時の稼働において送り管路を格別大径に設定しておかなくても、複数の散布ノズルからの単位時間当たりのアスファルト乳剤散布量を所望の散布量に確実に増加させることができるという利点がある。
【００１８】
請求項２記載の発明は、請求項１記載の発明の効果に加えてさらに、切換手段として三方弁を用いたことで、所要時に、スプレーバーに対し戻り管路及び送り管路の両管路からアスファルト乳剤を供給するように容易且つ確実に切換えることができるという利点がある。
【００１９】
請求項３記載の発明は、切換手段として、三方弁に代えて第１の開閉弁と第２の開閉弁を用いても、所要時に、スプレーバーに対し戻り管路及び送り管路の両管路からアスファルト乳剤を供給するように確実に切換えることができるという利点がある。
【００２０】
請求項４記載の発明は、左右一対備えられたスプレーバーに対しても、所要時に、それぞれのスプレーバーにおける戻り管路及び送り管路の両管路によりアスファルト乳剤を供給するように切換えることができて、両スプレーバーにおける複数の散布ノズルからの単位時間当たりのアスファルト乳剤散布量を所望の散布量に確実に増加させることができるという利点がある。
【発明を実施するための最良の形態】
【００２１】
常時の稼働において送り管路を格別大径に設定しておかなくても、所要時に戻り管路も送り管路として機能させることで、散布ノズルからの単位時間当たりのアスファルト乳剤散布量を所望の散布量に確実に増加させるという目的を達成するために、複数の散布ノズルが適宜の間隔をおいて取り付けられたスプレーバーの一端に乳剤ポンプから吐出されたアスファルト乳剤を供給するための送り管路が接続され、前記スプレーバーの他端には戻り管路が接続されて乳剤タンクに戻るようにされた道路舗装機械の乳剤回路において、所要時に、前記戻り管路の他端側を前記乳剤ポンプの吐出側に切換手段を介して切換え接続し、該戻り管路及び前記送り管路の両管路により前記スプレーバーにアスファルト乳剤を供給するように構成することにより実現した。
【実施例１】
【００２２】
以下、本発明の実施例１に係る道路舗装機械の乳剤回路を図面に従って詳述する。図１は実施例１に係る道路舗装機械の乳剤回路を示す図であり、（ａ）は油圧回路図、（ｂ）は電磁三方弁の操作スイッチの構成例を示す図である。なお、図１（ａ）及び後述する図２（ａ）において前記図３における構成要素と同一ないし均等のものは、前記と同一符号を以って示し、重複した説明を省略する。まず、本実施例に係る道路舗装機械の乳剤回路の構成を説明する。
【００２３】
図１（ａ）において、本実施例では、所要時に、左右のスプレーバー５Ａ，５Ｂにおける各戻り管路６ａ，６ｂの他端側が共通の切換手段としての電磁三方弁９の切換え動作により乳剤ポンプ３の吐出側に切換え接続されるように構成されている。該電磁三方弁９は、ｃ入口、ａ出口、ｂ出口の一つの入口と二つの出口を持っており、図１（ｂ）に示す操作スイッチ１０の切換え操作によるｃ−ａ間開路、ｃ−ｂ間開路の２通りの切り換え機能と、操作スイッチ１０の非操作時で電源１１からの電圧非印加時におけるｃ入口遮断の機能とを有している。前記ａ出口には各戻り管路６ａ，６ｂの他端側が共通接続され、ｂ出口は乳剤タンク１に連絡され、ｃ入口は弁・ポンプ間管路１２を介して乳剤ポンプ３の吐出側に接続されている。
【００２４】
そして、所要時に、電磁三方弁９は、操作スイッチ１０におけるｃ−ａ間オンの切換え操作により、ｃ−ａ間開路に切り換えられて各戻り管路６ａ，６ｂの他端側が弁・ポンプ間管路１２を介して乳剤ポンプ３の吐出側に接続される。この電磁三方弁９の切り換え動作により、左スプレーバー５Ａには該左スプレーバー５Ａにおける送り管路４ａ及び戻り管路６ａによりアスファルト乳剤が供給され、右スプレーバー５Ｂには該右スプレーバー５Ｂにおける送り管路４ｂ及び戻り管路６ｂによりアスファルト乳剤が供給されることになる。
【００２５】
なお、前記乳剤管路２及び弁・ポンプ間管路１２等の単管部分は、所要時にアスファルト乳剤の流量が増した場合において、その乳剤の流れを阻害しない程度に大径のものが用いられるとともに可能な範囲において長さの短いものが用いられている。
【００２６】
次に、上述のように構成された道路舗装機械の乳剤回路の作用を説明する。所要時に、乳剤ポンプ３の回転数を変えることにより、複数の散布ノズル８，…からの単位時間当たりのアスファルト乳剤散布量が所望の散布量に増加するように調整される。このとき、前述した電磁三方弁９の切り換え動作により左右のスプレーバー５Ａ，５Ｂにおける各戻り管路６ａ，６ｂの他端側が、乳剤ポンプ３の吐出側に切換え接続されて、左スプレーバー５Ａには、その送り管路４ａ及び戻り管路６ａの両管路によりアスファルト乳剤が供給され、また右スプレーバー５Ｂには、その送り管路４ｂ及び戻り管路６ｂの両管路によりアスファルト乳剤が供給される。
【００２７】
この結果、両スプレーバー５Ａ，５Ｂに対する乳剤ポンプ３からの乳剤供給管路の管抵抗が減じて圧損が低減し、アスファルト乳剤が管路４ａ，６ａ及び管路４ｂ，６ｂ内をスムーズに流れて両スプレーバー５Ａ，５Ｂにおける複数の散布ノズル８，…からの単位時間当たりのアスファルト乳剤散布量が所望の散布量に確実に増加する。
【００２８】
上述したように、本実施例に係る道路舗装機械の乳剤回路においては、所要時に、各スプレーバー５Ａ，５Ｂに対し送り管路と戻り管路の両管路（４ａと６ａ）及び（４ｂと６ｂ）からアスファルト乳剤を供給するように切換えることで、管抵抗が減じて圧損が低減し、乳剤ポンプ３からのアスファルト乳剤がそれぞれの両管路（４ａと６ａ）及び（４ｂと６ｂ）内をスムーズに流れる。この結果、常時の稼働において送り管路４ａ，４ｂを格別大径に設定しておかなくても、複数の散布ノズル８，…からの単位時間当たりのアスファルト乳剤散布量を所望の散布量に確実に増加させることができる。
【００２９】
切換手段として、電磁三方弁９を適用したことで、所要時に、左右のスプレーバー５Ａ，５Ｂに対し送り管路と戻り管路の両管路（４ａと６ａ）及び（４ｂと６ｂ）からアスファルト乳剤を供給するように容易且つ確実に切換えることができる。
【００３０】
なお、本実施例において、切換手段としては、手動の三方弁とすることもできる。
【実施例２】
【００３１】
本発明の実施例２に係る道路舗装機械の乳剤回路を図２の（ａ）、（ｂ）を用いて説明する。図２は実施例２に係る道路舗装機械の乳剤回路を示す図であり、（ａ）は油圧回路図、（ｂ）は電磁開閉弁の操作スイッチの構成例を示す図である。図２（ａ）において、本実施例では、切換手段が第１の電磁開閉弁１３Ａと第２の電磁開閉弁１３Ｂとの組合わせにより構成されている。第１の電磁開閉弁１３Ａと第２の電磁開閉弁１３Ｂとは直列接続され、その接続中点ｃが弁・ポンプ間管路１２を介して乳剤ポンプ３の吐出側に接続されている。また、第１の電磁開閉弁１３Ａのｂ端子は乳剤タンク１に連絡され、第２の電磁開閉弁１３Ｂのａ端子には各戻り管路６ａ，６ｂの他端側が共通接続されている。
【００３２】
そして、所要時に、操作スイッチ１４におけるｃ−ａ間接点をオン操作して第２の電磁開閉弁１３Ｂのみを開くことで各戻り管路６ａ，６ｂの他端側が弁・ポンプ間管路１２を介して乳剤ポンプ３の吐出側に接続される。この第２の電磁開閉弁１３Ｂの開動作で左スプレーバー５Ａには該左スプレーバー５Ａにおける送り管路４ａ及び戻り管路６ａによりアスファルト乳剤が供給され、右スプレーバー５Ｂには該右スプレーバー５Ｂにおける送り管路４ｂ及び戻り管路６ｂによりアスファルト乳剤が供給される。
【００３３】
この結果、前記実施例１の作用と同様に、アスファルト乳剤が管路４ａ，６ａ及び管路４ｂ，６ｂ内をスムーズに流れて両スプレーバー５Ａ，５Ｂにおける複数の散布ノズル８，…からの単位時間当たりのアスファルト乳剤散布量が所望の散布量に確実に増加する。
【００３４】
上述したように、本実施例に係る道路舗装機械の乳剤回路においては、切換手段として、電磁三方弁９に代えて第１の電磁開閉弁１３Ａと第２の電磁開閉弁１３Ｂとの組合わせ構成によっても、所要時に、左右のスプレーバー５Ａ，５Ｂに対し送り管路と戻り管路の両管路（４ａと６ａ）及び（４ｂと６ｂ）からアスファルト乳剤を供給するように確実に切換えることができる。
【００３５】
なお、本実施例において、切換手段としては、それぞれ手動の第１の開閉弁と第２の開閉弁との組合わせ構成とすることもできる。
【００３６】
また、本発明は、本発明の精神を逸脱しない限り種々の改変をなすことができ、そして、本発明が該改変されたものにも及ぶことは当然である。
【図面の簡単な説明】
【００３７】
【図１】本発明の実施例１に係る道路舗装機械の乳剤回路を示す図であり、（ａ）は油圧回路図、（ｂ）は電磁三方弁の操作スイッチの構成例を示す図。
【図２】本発明の実施例２に係る道路舗装機械の乳剤回路を示す図であり、（ａ）は油圧回路図、（ｂ）は電磁開閉弁の操作スイッチの構成例を示す図。
【図３】従来の道路舗装機械の乳剤回路の油圧回路図。
【符号の説明】
【００３８】
１          乳剤タンク
２          乳剤管路
３          乳剤ポンプ
４ａ，４ｂ  送り管路
５Ａ，５Ｂ  スプレーバー
６ａ，６ｂ  戻り管路
７          開閉弁    ８          散布ノズル
９          電磁三方弁（切換手段）
１０          操作スイッチ
１１          電源
１２          弁・ポンプ間管路
１３Ａ        第１の電磁開閉弁（切換手段）
１３Ｂ        第２の電磁開閉弁（切換手段）
１４          操作スイッチ
【図１】
2010138560.tif 000003
【図２】
2010138560.tif 000004
【図３】
2010138560.tif 000005